(57)【要約】      （修正有）【課題】作業者の行動を自動記録するシステムにおいて、全体のシステムのコストと設置スペースを増大させず、作業の片手間に手足等の体を動かすだけで作業者の意思や行動が伝達されるシステムを提供する。【解決手段】作業場所に複数の非接触型の電子タグを設け、該作業者の動きに応じて、該電子タグを読み取るリーダー装置を設置させ、該作業者の動作に応じて、反応する読み取りセンサー部と、該読み取りセンサー部で得られたデータに基づいて該作業者の手の動きに伴う作業内容、作業の時間を自動記録するようにした、作業者の行動を自動記録するシステム。【選択図】図２
2005032082.tif 000002
【特許請求の範囲】
【請求項１】
作業場所に複数の非接触型の電子タグを設け、該作業者の動きに応じて、該電子タグを読み取るリーダー装置を設置させ、該作業者の動作に応じて、反応する読み取りセンサー部と、該読み取りセンサー部で得られたデータに基づいて該作業者の手の動きに伴う作業内容、作業の時間を自動記録するようにした、作業者の行動を自動記録するシステム。
【請求項２】
該リーダー装置の少なくとも読み取りセンサー部が該作業者が装着するように構成したことを特徴とする請求項１に記載の作業者の行動を自動記録するシステム。
【請求項３】
該読み取りセンサー部が作業者の腕から先端側に装着できるように構成したことを特徴とする請求項１に記載の作業者の行動を自動記録するシステム。
【請求項４】
該複数の電子タグが、シート状の素材に一定間隔で点在させて構成されたことを特徴とする請求項１に記載の作業者の行動を自動記録するシステム。
【請求項５】
該複数の電子タグが、シート状の素材に形成されるとともに、該シート状素材の任意の電子タグの読み取りエリアに、その電子タグに対応した意味を記載し、該意味を記載した面を、作業者の備えるリーダー装置を近付けることにより、該作業者の装着する該読み取りセンサー部がその該意味に対応するデータを読みとれるようにしたことを特徴とする請求項１に記載の作業者の行動を自動記録するシステム。
【請求項６】
作業者の装着した該読み取りセンサー部で読み取ったデータと、作業内容を示す情報の双方を時間データと関連させてホストコンピュータに集合させるように構成したことを特徴とする請求項１に記載の作業者の行動を自動記録するシステム。
【発明の詳細な説明】
【技術分野】
【０００１】
本発明は、作業者の入力動作の負担を極力無くす方法で、作業者の作業記録ならびに、作業者の意思をコンピューターで利用可能なデータとして得る、作業者の行動を自動記録するシステムに関する。
【背景技術】
【０００２】
【特許文献１】特開2003-84669号  （発明の名称：ＩＣが内蔵されている値札ならびに値札装着装置）本発明は、ＩＣ内部に商品情報が含まれているとともに、その商品情報が書き換え可能である事を特徴とするＩＣが内蔵されている値札が記載されている。さらに、ＩＣに店舗情報も含まれているＩＣ化された値札に関しても記載されている。加えて、裏面に貼着剤が設けられているＩＣ化された値札も記載されている。そして、値札表示部とＩＣ内蔵部に分離できる値札も記載されている。さらに、値札表示部とＩＣ内蔵部とが貼着剤により接着されている構造のＩＣ化された値札も記載されている。このように、ＩＣ化された値札もしくは、電子タグ（ＩＣタグ、あるいは小型無線自動認識ＩＣチップ、とも言われる） が収納された値札なども記載されている。一方、従来のバーコードの付されたタグの代替品として、電子タグ（ＩＣタグとも言われる）を利用する発明が多数提案されている。しかし、これら発明の目的は基本的に商品管理が主なものである。
【発明の開示】
【発明が解決しようとする課題】
【０００３】
本発明は、作業者の行動を自動記録するシステムであり、従来の商品中心に形成された電子タグやバーコードにおける管理は、物品の取り扱いを主体として形成され、作業者中心のデータ収集には不向きであった。即ち、移動する物体（主に商品）に、電子タグを装着し、固定された読み取り装置で移動する物体に設けられた電子タグを読み取ることが通常行われている。これは移動側に軽量である電子タグが設けられることがその、主たる理由である。  
ところが、移動側に電子タグを設けた場合、
[1] 移動する物体が移動する軌跡上もしくは、移動の可能性がある軌跡上に読み取り装置を設けた場合には、設置個数が多ければ多いほど、全体のシステムのコストを押し上げる。即ち、より多くの読み取りポイントを設置したい場合において、設置コストが増大となる。また、該増大する読み取りポイントから得られた情報を、統合してデータ管理する場合、そのデータを収集するシステムも読み取りポイントの数だけ増大するので、データの統合に対するコストも増大する。  
[2] 電子タグとリーダー装置とを比較するとその大きさは、極めてリーダー装置が大きい。従って、この大きいリーダー装置を、作業場周辺に数多く設置すると、作業場所の有効利用が悪化する。また、リーダー装置は、大きさに制限があるから、検出したいターゲットを細かく設定できないという問題があった。  
[3] 一方、既存のバーコードシステムの場合、作業者の手を束縛する点、作業環境によって読み取り精度が左右する点、読み取り精度に作業者の熟練を必要とする点等を理由に作業者が業務の片手間に、バーコード読み取りを行なうには、簡便さが足りず、実使用において不十分であった。
本発明は、作業の片手間に手足等の体を動かすだけで、殆ど入力している意識なしに、作業者の意思や行動が伝達されるシステムを得ることを課題としている。
【発明を実施するための最良の形態】
【０００４】
以下添付図面に基づいて本発明の一実施例を説明する。  
図１は、作業場所を描いた斜視図である。また、図１には、本発明のシステムを具現化するための複数の実施例が描かれている。  
即ち、１は作業場所で働く作業者である。Ａは作業場所を仕切る壁部である。Ｂは壁部Ａの出入口Ａ１の通路に敷き詰められた床用シートである。Ｃは作業台であり、Ｃ１は作業台全面に敷かれた、作業台用シートである。Ｄはベルトコンベアであり、Ｄ１はベルトである。Ｅは案内板であり、Ｅ１は案内板に描かれた案内用の文字列である。Ｆは作業工具であり、Ｇは縫製用の布素材であり、しかもその布の素材毎に必要に応じてＧ１、Ｇ２、Ｇ３‥‥と番号を設定することができる。
【０００５】
図２は作業者１の動きに応じて、該電子タグを読み取るリーダー装置を説明する実施例を示し、また同図において、特に作業者自身にリーダー装置を装着するタイプを示している。即ち、作業者１は腰用のベルトに支持された本体部１Ａを装着している。この本体部１Ａには、電源、データメモリ装置、ホストコンピュータ（詳細は後述する）へ電波（無線ＬＡＮ）によって伝送を行なう発信装置、電子タグを起動しうる発信装置、複数の読み取りセンサー部に対して各々別個の種類の高周波を供給する高周波源。複数の読み取りセンサー部で受信した高周波信号を解析する高周波受信部とから構成されている。この構成を満足させるために、例えばイントラネットを構成可能とする送受信カードが取り付けられたをＰＤＡ装置とすることが可能である。該複数の読み取りセンサー部とは、手首に巻く、リストバンド型送受信器１Ｂ、該リストバンド型送受信器１Ｂを介して接続される指輪型送受信器１Ｃ、そして、足首に巻くタイプの送受信器１Ｄが図示している。また、所望に応じて左右両方の手首、左右両方の足首、若しくは指に読み取りセンサー部を形成することが、可能である。さらに、同図において、１Ｂ’は腕時計型送受信器である。また、該腕時計型送受信器は、電源およびホストコンピュータへの無線機能も備えており、しかもバンド１Ｂ”がコイル状に形成され、電子タグへの電波ならびにホストコンピュータへの無線機能に対するアンテナの双方若しくは一方のアンテナの機能を持たせている。
【０００６】
なお、読み取りセンサー部と本体部１Ａとを分離したことにより、腕や指先などの、荷重に対して苦手な箇所において装着してセンサー部としては十分な機能を果たし、しかもその読み取りセンサー部からのデータは比較的重量があっても負担にならないベルト締めタイプの本体部１Ａによって上述の電子的処理がなされているので、理想的なリーダー装置を形成できる。しかし、将来的に小電力化ならびに高密度化が進めば、指先や腕などに装着して分離せずに一つで機能するリーダー装置を形成することは十分可能である。
【０００７】
図３は該出入口Ａ１の詳細を示す斜視図であり、Ａ２はカード型電子タグ{該電子タグとは、記憶容量の多いＩＣチップで形成されたタグおよび電波の反射だけに頼ってそのタグの情報を読むようにする非接触型の電子的なタグの総称として使用している}である。該カード型電子タグは裏面に設けられて粘着面によって、出入口Ａ１の一角に貼り付けてある。また、該カード型電子タグには出入口Ａ１の位置に対応する情報が記録されている。該作業者１が該出入口Ａ１を通過すると、リストバンド型送受信器１Ｂ、リストバンド型送受信器１Ｂ、指輪型送受信器１Ｃあるいは足首に巻くタイプの送受信器１Ｄの何れかの送受信器と該カード型電子タグが反応して、本体部１Ａにその情報が伝達される。更に本体部１Ａはホストコンピュータに対して、該作業者が該出入口Ａ１の付近に来た情報が得られる。なお、必要に応じて、出入口Ａ１の内側と外側に別々のカード型電子タグを設けることにより、電子タグの反応の時間を監視することで、該作業者が出入口Ａ１を通って外出したのか、あるいは帰社したのかが明確にホストコンピュータ側で判断が得られる。
【０００８】
図４は図１で説明した床Ｂに敷かれた床用シートＢ１の部分断面斜視図である。図中において、B2は下側シート部材、B3は上側シート部材、B0は電子タグである。
【０００９】
該床用シートＢ１は、図示の通り下側シート部材B2と上側シート部材B3の上下のシートを備え、両シートの間には等間隔に電子タグB0が点在させている。この電子タグB0は、必ずしも等間隔に設ける必要はなく、ランダムに点在させることができる。また、電子タグの分布量は、電子タグの通信距離に応じて決定することが好ましい。即ち、通信距離が短ければ、比較的隣接して配置することが有効であり、通信距離が長い場合には、好ましくはその通信距離に匹敵する距離分だけ間隔を開けて配置することが好ましい。下側シート部材B2並びに上側シート部材
一方、電子タグB0は、各々異なる符号が打ちこまれ、その符号と床用シートとの位置関係をホストコンピュータ内のデータベースに予め登録することが好ましい。  
以上の床用シートＢ１と、作業台用シートＣ１またはベルトＤ１とは基本的に同じ構造のシートであり、作業台用シートＣ１およびベルトＤ１の方が床用シートＢ１よりも、電子タグの通信距離（標準の通信可能距離）をより短いタイプのものを選択する。また、床用シートに比較して作業台用シートＣ１およびベルトＤ１の方が電子タグの点在量をより密にしている。その理由は作業者の手の動きをより細やかに検出することを目的としている。
【００１０】
図５は、図１中で記載した案内板の部分破断拡大斜視図である。同図において、Ｅは掲示板の基板であり、Ｅ１は文字列、Ｅ２は該文字列Ｅ１と基板Ｅとの間に挿入されるカード型電子タグＥ２である。文字列は基本的に自由に設定ができるが、仕事の流れで伝達すべき内容が好ましい。また、文字列のなかに所望に応じて、「登録許可」「誤認識削除」「はい」「いいえ」といった、確認をするための用語ならびにその用語に対応した電子タグをセットで設けることができる。  
以上のように構成された案内板は、例えば作業者につけているリストバンド型送受信器１Ｂもしくは指輪型送受信器１Ｃを、所望の文字列に近付ける。また、間違った文字列に近付けた場合には、その次ぎに誤認式削除の用語の近くへ、そのリストバンド型送受信器１Ｂもしくは指輪型送受信器１Ｃを近付ける。そうすることにより、直前の間違いを削除することができる。  
以上説明したように、掲示板Ｅは、電子タグがカード形式で記録されている。そして、所望に応じて、電子タグの中に記録されている文字列と、文字列Ｅ１とを一致させることができ、そうすることで、リストバンド型送受信器１Ｂもしくは指輪型送受信器１Ｃで読み取り、ホストコンピュータへ送った送信データと、作業者がさわろうとした文字列とが一致するので、ホストコンピュータ側にその対応するデーターベースを持つ必要がない。また、文字列と同じ文字列が登録されているカード型電子タグとをペアーで移動するならば、文字列を見ながら間違いのない電子タグを選択で、しかもその文字列を見ながら自由な配置ができる。  
なお、所望に応じて図４で示した各シート状のタイプの表面に文字列を記載し、その文字列に近接した電子タグとの関係をホストコンピュータ内のデータベースに記録することで、所望の文字列に作業者が近づくことにより、対応するデータをホストコンピュータへ送ることが可能になる。
【００１１】
図６は、作業者が装着するタイプの電子タグの一例を示す実施例である。図中において、作業者がしているのはエプロン形式の電子タグ群である。このエプロンＨには、ポケットが１６個設けられており、このポケットの外周面はビニールなどの透明なもので形成されている。そして、このポケットにカード型電子タグが挿入される。このカード型電子タグは、そのカード表面に作業に関連した内容の言葉「例：作業開始」と、その言葉の内容と同等のデジタル信号が、カード型電子タグ内のＩＣメモリに記録されている。即ち、このように、カード表面の内容と、ほぼ関連のあるデジタル信号が得られるように記録されたカード型電子タグを、このポケットに挿入される。そして、好ましくは１６個全て異なる異なる内容の言葉が記録されたカードを、挿入して利用する。また、記録する内容が変化したら、所望に応じて、異なるカードを挿入しなおせば、新たに希望する内容が記録されたエプロンが得られる。一方、作業者の指には指輪型送受信器１Ｃが装着されている。作業者はこの指輪型送受信器１Ｃをエプロンに挿入したカード型電子タグに接近させて、所望内容を読み取ることができる。なお、装着するタイプの電子タグは、夜間の安全を確保するための光反射型のベストにそのまま応用ができ、また、外出時に利用するためのカバンに応用することができる。また、電子タグを仕込んだ手袋、靴下、靴などが提案でき、このように、常時身に付ける装身具に電子タグを設けることにより、作業者同士の会議などをする場合において、その会議の出席メンバーなどを逐一把握する必要はなく、時間と場所を指定してホストコンピュータに問い合わせをするだけで、会議の出席メンバーが即座に判明するようになる。
【００１２】
図７は、縫製用布素材に対応電子タグを取り付けた状態を示す実施例を示している。図中において、Ｇ１は第１番目の縫製用布素材であり、その一端側には電子タグが設置されている。同様にＧ２は第２番目の縫製用素材であり、この電子タグには、少なくとも一端側に取付け用の延長部Ｇ５が設けられている。そして、この延長部Ｇ５は細い針金状の素材で形成され、縫製用布素材に絡められることにより、電子タグが取り付けられている。また、この延長部Ｇ５は電子タグのアンテナとしても役割を形成されている。所望に応じて、この延長部Ｇ５は絶縁体で被覆されており、かつ熱融着素材の絶縁体とすることで、加熱して、被装着体へ押圧することで、簡単に電子タグを取付けることが可能となる。  
このように形成された縫製用布素材に対して、作業者１が接近し、図２の実施例で説明した指輪型送受信器１Ｃが接近すると、この縫製用布素材に設置された電子タグが反応する。その結果として作業者１は、例えば縫製用布素材Ｇ１に接近したことが、本体部１Ａに伝達され、さらに電波によってホストコンピュータへ伝達される。
また、図示したように、１つの縫製用布素材には複数の電子タグが取り付けられ、これら複数の電子タグは互いに異なる番号が付与されている。そうすることにより、作業者１が縫製用布素材に接近して、複数の電子タグの内、反応が先に来た側が作業者１に近い位置にあったことが分かり、縫製用布素材の向きが決定される。同様に、一つの物品に互いに異なる番号が付された電子タグを取り付ければ、作業者に対する、向きや、移動方向などの判断ができる。また、向きや移動方向等の情報が必要がなければ、一つの物品に一つの電子タグを設けるだけでよい。
【００１３】
図８は、電子タグ、リーダー装置、ホストコンピュータ、および周辺機器の電子的な流れを示す説明図である。まず作業者の装着しているリーダー装置によって、予め設定された距離まで近づいた電子タグを読む。その結果、電子タグ固有の情報と、時間情報がリーダー装置を介して無線（電波）で結合されたイントラネット網に流れ、サーバーＡ１へ入力される(この入力データをD1とする)。一方、電子タグが小型パソコンやオートメーション装置、またはファックスなどに設けられた場合には、各々の仕事内容がオンラインのイントラネットを介してサーバーＡ１に入力される。即ち、ファックス送信結果と時間が情報D1'としてサーバーＡ１に入力される。その後、図中に記載の記憶手段に入力される。入力された電子タグのデータと、該電子タグがファックスに取り付けられたデータと、該電子タグのデータ入手時の時間と、ファックスの内容記録がサーバーＡ１に入力された時間とに、一定の時間の幅内に、入った場合、即ち、上記の時間に対して、例えば５分の前後の幅を持たせた場合に共通であると見出された場合には、これらデータは相関性が存在すると認識させる。この判断はサーバー内の作業とすることができる。このような判断に基づいて、作業者１が、任意の時間にファックスの近くにいて、登録されたファックスの内容を送信したことがサーバに記録される。
【００１４】
上記はファックスを例に挙げたが、同様の仕組みで複数人で共動利用するパソコンでも、処理した内容とその処理した作業者とを記録することができる。  
また、オートメーションの機械（例えば、ベルトコンベアＤ）でも、あるロットの生産に携わった人を、逐一記録しなくとも、上記の仕組みにより、自動記録される。
【００１５】
一方、出入口Ａ１に設けられた電子タグは、通過する作業者に対して反応をする。この場合、作業室へ入ったのか、出て行ったのかが不明ではあるが、室内の電子タグの記録がその通過直前にあれば、退室したことが分かり、直前の記録が室内になければ、入室したと判断させることができ、このような仕組みを構成することで、電子タグの設置数を低下させることができる。
【００１６】
つぎに、掲示板Ｅの利用状態を説明する。掲示板Ｅには、文字列Ｅ１と、この文字列Ｅ１の近くに設けられたカード型電子タグＥ２が関連づけられた設置していることを図５を参照して説明した。そして、作業者は、リーダー装置をこの掲示板Ｅ中の文字列に近付けて、作業者の考えや報告を目的として、該電子タグを読み取り、その結果をイントラネットを介して、サーバーＡ１に入力する。  
サーバーＡ１には、予め、上記文字列に対応するデーターベースが記録されて、実際には電子タグＥ２の番号データだけが、サーバーＡ１に到来しているが、それに対応したデーターベースによって、掲示板に記載された文字列と同様のデータが、実質的にサーバーＡ１に記録される。こうすることにより、例えば、定形の報告内容を、日報などに記述することなく、作業者は、ワンタッチでその意思伝達内容を、記録できる。また、その記録された時間も自動記録され、緊急度に応じて、その記録された内容は、日報みたいに、その日の終了に近い時点で、伝達されるのではなく、リアルタイムにサーバーＡ１に伝達され、内容に応じて、さらに管理者側へ通知がされる。もしくは、管理者が緊急度の高いデータを一定内にチェックして、その状況に応じて対応が可能となる。
【００１７】
図２を参照して詳細に説明したリーダー装置は、さらに、所望に応じて以下のような形態をとることができる。  
リーダー装置の要素である、センサー部は、上記の他に靴装着型センサー、手袋装着型、靴下装着型、ヘルメット装着型、帽子装着型などとすることができる。また、本体部１Ａはこれら、センサー部と同じ箇所に設けることが理想ではあるが、電源の容量や、各種発信装置の出力アンプの形状や重さが十分小さくなれない、といった問題を解決するために、図２で示したようにセパレートタイプとすることが一つの解決策になる。そして、さらに、送信出力が大きい場合には、作業者の腹部や頭部からなるべく離す位置に設けることが好ましい。例えば、臀部以下に位置決めが可能なように作業者に持たすことが好ましい。  
【００１８】
発明の効果
請求項１で定義した本発明は、次のような効果が奏される。  
移動をする物体の動きをセンサーで捉える場合には、一般的にはセンサーが固定されて、移動をする物体が通過したり接近したりしたときに、そのセンサーが反応して、移動をする物体の動きを特定することが通常行われている。このような場合、移動をする物体の数が、十分に多いときに有効である。しかしながら、例えば作業者数が作業空間に比較して少ない場合には、リーダー装置の数が多く、作業コストを大きく押し上げることになっていた。そこで、移動する物体である作業者にリーダー装置を取付け、このリーダー装置に反応する例えば電子タグを、その比較的広い空間の希望する位置に取付けることで、リーダー装置は作業者数だけでよく。その一方、大量に設ける必要のある電子タグは、大きさが極めて小さく『米粒程度が一般的』であり、設置コストならびに設置空間が節約できるという点において、有利である。さらに、ホストコンピューターとの伝達を行なう場合においても、読み取りセンサー数が多いと、その数だけ、無線システムもしくは有線システムが必要となるので、設置コストおよび設置空間が巨大になる。しかし、本発明の構成を採用することで、その問題を解消することができる。  
また、小さな電子タグを作業場に細かく設置して、その電子タグの位置をリーダー装置が読み取る構成なので、例えば従来のようなカメラ設置による作業把握手段とは異なり、人の影や装置の影になってその行動が全く分からなくなるような状況には陥ることがない。即ち、カメラでは不可能であった、影の部分や、微妙な手さばきのタイミングなどの情報を得ることができる。また、該タイミングの情報を利用して、併用したカメラ情報の作業内容毎のイメージ分離のトリガーとしても利用が可能となる。
【００１９】
請求項２で定義した本発明は、次のような効果が奏される。  
該リーダー装置の構成の内、読み取りセンサー部が作業者の脚部の先端側に装着できるように構成したことにより、歩数に連動した情報収集が可能となる。
【００２０】
請求項３で定義した本発明は、次のような効果が奏される。  
該リーダー装置の構成の内、読み取りセンサー部が作業者の腕から先端側に装着できるように構成したことにより、左右の手の振りに関連した動作の、読み取りが行われ、左右に関連した情報収集が可能となる。
【００２１】
請求項４で定義した本発明は、次のような効果が奏される。  
該複数の電子タグが、シート状の素材に一定間隔で点在させて構成されたことにより、電子タグを貼り付ける手間がなく、シート状であるために、特別に電子タグを貼り付けるための目印も不要で、必要な場所に、敷き詰めるだけで電子タグの位置決め設定が完了する。
【００２２】
請求項５で定義した本発明は、次のような効果が奏される。  
複数の電子タグが、シート状の素材に形成されるとともに、該シート状素材の任意の電子タグの読み取りエリアに、その電子タグに対応した意味を記載し、該意味を記載した面を、作業者の備えるリーダー装置を近付けることにより、該作業者の装着する該読み取りセンサー部がその該意味に対応するデータを読みとれるようにしたことにより、作業者は、リーダー装置を近付けるだけで、意思の伝達や、日報に欠かせない定形的な文章を、素早く入力することができ、その入力時間や入力者などもいちいち手入力をする必要もなく、分かりやすい日報（もしくは、リアルタイムの反応）が得られる。
【００２３】
請求項６で定義した本発明は、次のような効果が奏される。  
作業者の装着した該読み取りセンサー部で読み取ったデータと、作業内容を示す情報の双方を時間データと関連させてホストコンピュータに集合させるように構成したことにより、作業者の行動の記録のみならず、その作業者の行動に伴って得られる作業内容が、関連づけて記録されるので、作業者の動きのみならず、実績にあたる記録も一緒に得られるので、正確な作業者の行動記録が得られる。
【図面の簡単な説明】
【００２４】
【図１】作業場所を描いた斜視図である。
【図２】作業者に取り付けられたリーダー装置を説明する斜視図である。
【図３】出入口の詳細を示す斜視図である。
【図４】図１で説明した床Ｂに敷かれた床用シートＢ１の部分断面斜視図である。
【図５】図１中で記載した案内板の部分破断拡大斜視図である。
【図６】作業者が装着するタイプの電子タグの一例を示す実施例である。
【図７】縫製用布素材に対応電子タグを取り付けた状態を示す実施例を示す部分断面斜視図である。
【図８】電子タグ、リーダー装置、ホストコンピュータ、および周辺機器の電子的な流れを示す説明図である。
【符号の説明】
【００２５】
１：作業者
Ａ：壁部
Ｂ：床用シート
Ｃ：作業台
Ｃ１：作業台用シート
Ｄ：ベルトコンベア
Ｄ１：ベルト
Ｅ：案内板
Ｅ１：文字列
Ｆ：作業工具
Ｇ：縫製用の布素材
１Ａ：本体部
１Ｂ：リストバンド型送受信器
１Ｃ：指輪型送受信器
１Ｄ：送受信器
Ａ２：カード型電子タグ
B2：下側シート部材
B3：上側シート部材
B0：電子タグ
Ｅ：掲示板の基板
Ｅ１：文字列
Ｅ２：カード型電子タグ
【図１】
2005032082.tif 000003
【図２】
2005032082.tif 000004
【図３】
2005032082.tif 000005
【図４】
2005032082.tif 000006
【図５】
2005032082.tif 000007
【図６】
2005032082.tif 000008
【図７】
2005032082.tif 000009
【図８】
2005032082.tif 000010